(57)【要約】【課題】  ロック用の小ネジのサイズが一目でわかると共に、使用する小ネジに対応する六角棒Ｌ形のレンチを直ちに取り出せる小ネジ固定具を得ること。【解決手段】  上部に断面六角の係合穴部２１を有するロック用の小ネジ２と、小ネジ２の係合穴部２１に係合して小ネジ２を回転させる六角棒Ｌ形のレンチ３とに同一色のチタン着色皮膜層２ａ，３ａを形成すると共に、小ネジ２の外径サイズが変わる毎に小ネジ２とこれに対応するレンチ３におけるチタン着色皮膜層３ａの色を異なる色で形成して、使用する小ネジ２の外径サイズとこの小ネジ２に対応するレンチ３であるか否かをチタン着色皮膜層２ａ，３ａの色で判別し得るように構成した。【選択図】  図１
0003104392.tif 000002
【実用新案登録請求の範囲】
【請求項１】
上部に断面多角の係合穴部を有するロック用の小ネジと、係合穴部に係合して小ネジを回転させる多角棒Ｌ形のレンチとからなる小ネジ固定具であって、小ネジにその外径サイズが一目でわかるように外径サイズ毎で異なる色の着色皮膜層を形成する一方、各小ネジとこれに対応する各レンチとが互いに同一色となるように各レンチにその外径サイズ毎で異なる色の着色皮膜層を形成して、使用する小ネジの外径サイズと、この小ネジに対応するレンチであるか否かを着色皮膜層の色で判別し得るように構成したことを特徴とする小ネジ固定具。
【請求項２】
上部に断面多角の係合穴部を有するロック用の小ネジと、係合穴部に係合して小ネジを回転させる多角棒Ｌ形のレンチとからなる小ネジ固定具であって、小ネジとこれに対応するレンチに同一色のチタン着色皮膜層を形成すると共に、小ネジの外径サイズが変わる毎に小ネジとこれに対応するレンチにおけるチタン着色皮膜層の色を異なる色で形成して、使用する小ネジの外径サイズとこの小ネジに対応するレンチであるか否かをチタン着色皮膜層の色で判別し得るように構成したことを特徴とする小ネジ固定具。
【考案の詳細な説明】
【技術分野】
【０００１】  本考案は、主として上部に断面六角の係合穴部を有するロック用の小ネジと、係合穴部に係合して小ネジを回転させる六角棒Ｌ形のレンチとからなる小ネジ固定具に関する。
【背景技術】
【０００２】  従来、この種の小ネジ固定具は、上部に断面六角の係合穴部を有するロック用の小ネジと、係合穴部に係合して小ネジを回転させる六角棒Ｌ形のレンチとからなり、小ネジの先端を利用して部品間の動きを止めたり、また回り止めをするために用いられている。【０００３】  ところで、小ネジとしては、たとえばその外径が１．２ｍｍといった極小の外径サイズのものがあり、またその外径サイズもたとえば１．２ｍｍ、１．４ｍｍ、１．６ｍｍ、１．８ｍｍといったように僅かづつサイズアップされた多数の外径サイズのものがある。一方、レンチとしては、小ネジの外径サイズに応じて係合穴部の大きさも順次大きく形成されることから、各係合穴部の大きさに応じた多数のサイズのものが備えられている。そして、これら各小ネジ同士及び各レンチ同士はそれぞれメッキ処理等が施されてそれぞれ同一色（普通は黒色）を呈している。
【考案が解決しようとする課題】
【０００３】  ところが、上記した極小の外径サイズの小ネジは、その外径が非常に小さく、また、各小ネジ同士が同一色でその外径が僅かづつサイズアップする形で多数あるため、使用する際小ネジの外径サイズを確認しずらい問題があった。しかも、使用する小ネジに対応する六角棒Ｌ形のレンチを選択するときにも、レンチが小さく、また各レンチ同士が同一色でその外径サイズが僅かづつサイズアップする形で多数あるため、小ネジに対応するサイズのレンチを迅速に選び出すことができない問題があった。そのため、所望する外径サイズの小ネジとこれに対応するレンチを購入する場合やこれらの小ネジとレンチを工具箱等から取り出して固定作業を行う場合に非常に煩雑で、手間を要する問題があった。
【０００４】  そこで本考案は、ロック用の小ネジの外径サイズが一目でわかると共に、使用する小ネジに対応する多角棒Ｌ形のレンチを直ちに取り出せる小ネジ固定具の提供を課題とする。
【課題を解決するための手段】
【０００５】  上記課題を解決するために、本願の請求項１に記載の考案は、上部に断面多角の係合穴部を有するロック用の小ネジと、係合穴部に係合して小ネジを回転させる多角棒Ｌ形のレンチとからなる小ネジ固定具であって、小ネジにその外径サイズが一目でわかるように外径サイズ毎で異なる色のチタン着色皮膜層を形成する一方、各小ネジとこれに対応する各レンチとが互いに同一色となるように各レンチにその外径サイズ毎で異なる色の着色皮膜層を形成して、使用する小ネジの外径サイズとこの小ネジに対応するレンチであるか否かを着色皮膜層の色で判別し得るように構成したことを特徴とする。
【０００６】  また、本願の請求項２に記載の考案は、上部に断面多角の係合穴部を有するロック用の小ネジと、係合穴部に係合して小ネジを回転させる多角棒Ｌ形のレンチとからなる小ネジ固定具であって、小ネジとこれに対応するレンチに同一色のチタン着色皮膜層を形成すると共に、小ネジの外径サイズが変わる毎に小ネジとこれに対応するレンチにおけるチタン着色皮膜層の色を異なる色で形成して、使用する小ネジの外径サイズとこの小ネジに対応するレンチであるか否かをチタン着色皮膜層の色で判別し得るように構成したことを特徴とする。
【０００７】  なお、断面多角の係合穴部及び多角棒Ｌ形のレンチとは、６角や４角などの断面形状を呈するものの他、たとえば図３、図４、図５に示すように星形や十字形状或いはマイナス形状などのやや異形を呈するものも含む概念である。
【考案の効果】
【０００８】  本考案の小ネジ固定具によれば、ロック用の小ネジに形成されたチタン着色皮膜層の色により、小ネジの外径サイズが一目でわかり、適宜部品のネジ穴に合った小ネジを間違いなく迅速に用意できると共に、この使用する小ネジの色と同色の多角棒Ｌ形のレンチを取り出すことにより、その小ネジに対応するレンチを迅速に選んで取り出すことができる。その結果、所望する外径サイズの小ネジとこれに適応するレンチを購入する場合やこれらの小ネジとレンチを工具箱等から取り出して固定作業を行う場合にその選び出しが簡単容易にかつ迅速に行うことができる。
【考案の実施するための最良の形態】
【０００９】  以下、本考案の実施の形態を図に基づいて説明する。
【００１０】  図１は本考案の小ネジ固定具を示すもので、小ネジ固定具１は上部に断面六角の係合穴部２１を有するロック用の小ネジ２と、小ネジ２の係合穴部２１に係合して小ネジ２を回転させる六角棒Ｌ形のレンチ３とからなる。
【００１１】  そして、小ネジ２とこれに対応するレンチ１の外周全体に同一色のチタン着色皮膜層２ａ，３ａを形成すると共に、小ネジ２の外径サイズが変わる毎に小ネジ２とこれに対応するレンチ３におけるチタン着色皮膜層３ａの色を異なる色で形成して、使用する小ネジ２の外径サイズとこの小ネジ２に対応するレンチ３であるか否かをチタン着色皮膜層２ａ，３ａの色で判別し得るように構成したのである。つまり、たとえばチタン着色皮膜層２ａの色がゴールドであれば小ネジ２の外径が１．２ｍｍ、ブラウンであれば小ネジ２の外径が１．４ｍｍ、ブルーであれば小ネジ２の外径が１．６ｍｍといったように設定する一方、外径が１．２ｍｍの小ネジ２に対応するレンチ３のチタン着色皮膜層３ａの色をゴールドに、外径が１．４ｍｍの小ネジ２に対応するレンチ３のチタン着色皮膜層３ａの色をブラウンに、外径が１．６ｍｍの小ネジ２に対応するレンチ３のチタン着色皮膜層３ａの色をブルーに着色するのである。
【００１２】  また、小ネジ２とレンチ１に形成したチタン着色皮膜層２ａ，３ａは、チタンの酸化装置により小ネジ２とレンチ１の外周にメッキ処理することにより形成する。その場合、陽極酸化電圧を変えてチタン酸化皮膜の厚さを変えることにより多数の色のチタン着色皮膜層２ａ，３ａを形成する。
【００１３】  上記した小ネジ固定具によれば、ロック用の小ネジ２に形成されたチタン着色皮膜層２ａの色により、小ネジ２の外径サイズが一目でわかる（たとえばチタン着色皮膜層２ａの色がゴールドであれば小ネジ２の外径が１．２ｍｍとわかる）のであり、これにより適宜部品のネジ穴に合った小ネジを間違いなく迅速に用意できる。しかも、この使用する小ネジ２の色（ゴールド）と同色（ゴールド）の六角棒Ｌ形のレンチ３を取り出すことにより、その小ネジ２に対応するレンチ３を迅速に選んで取り出すことができる。その結果、所望する外径サイズの小ネジ２とこれに適応するレンチ３を購入する場合やこれらの小ネジ２とレンチ３を工具箱等から取り出して固定作業を行う場合にその選択や取り出しが簡単容易にかつ迅速に行うことができる。さらに、チタン着色した小ネジ２と同色のレンチ３とを組み合せてセット化した上で販売することにより購入者は非常に簡単かつ楽に購入することができ、また、使用に際しても使い勝手がよくなる効果が得られる。
【００１４】  なお、上記した実施形態では、小ネジ２とレンチ３の外周全体にチタン着色皮膜層２ａ，３ａを形成するようにしたけれども、チタン着色皮膜層２ａ，３ａでなく、たとえば塗料による着色皮膜層であってもよいし、また、着色皮膜層は、小ネジ２とレンチ３の外周全体に形成する他、たとえば小ネジ２の上面部分やレンチ３の握り部分など部分的に着色皮膜層を形成してもよいことは勿論である。
【００１５】  また、係合穴部２１の断面形状及びＬ形のレンチ３の断面形状としては、上記したように６角形状とする他、たとえば図３、図４、図５に示すように星形状や十字形状或いはマイナス形状などやや異形を呈するものも含む多角形状であってもよいことは勿論である。
【図面の簡単な説明】
【００１６】
【図１】  本考案の実施形態を示す小ネジ固定具の縦断面図である。
【図２】  同小ネジ固定具の使用状態図である。
【図３】  別の実施形態を示す小ネジ固定具の横断面図である。
【図４】  また別の実施形態を示す小ネジ固定具の横断面図である。
【図５】  さらに別の実施形態を示す小ネジ固定具の横断面図である。
【符号の説明】
【００１７】    １          小ネジ固定具
２          小ネジ
２ａ        チタン着色皮膜層
２１        係合穴部
３          レンチ
３ａ        チタン着色皮膜層
【図１】
0003104392.tif 000003
【図２】
0003104392.tif 000004
【図３】
0003104392.tif 000005
【図４】
0003104392.tif 000006
【図５】
0003104392.tif 000007